(57)【要約】【課題】加入者線の接続を容易に行うことができる電子機器を提供すること。【解決手段】壁面に固定されるインターホン本体５と、壁面から導出された第１の電気線を押通する穴を有しインターホン本体５を保持する保持部材８と、保持部材８に支持された端子ユニット９とを備え、端子ユニットは、一方の面側に第１の電気線が接続され、他方の面側にインターホン本体からの第２の電気線が接続され、端子ユニットと保持部材とが略平行状態となる第１の位置と端子ユニットと保持部材とが所定の角度をなす第２の位置との間で回動する。【選択図】      図１
2004312601.tif 000002
【特許請求の範囲】
【請求項１】
壁面に固定される電子機器本体と、前記壁面から導出された第１の電気線を挿通する穴を有し前記電子機器本体を保持する保持部材と、前記保持部材に支持される端子ユニットとを備え、
前記端子ユニットは、一方の面側に前記第１の電気線が接続され、他方の面側に前記電子機器本体からの第２の電気線が接続され、前記端子ユニットと前記保持部材とが略平行状態となる第１の位置と前記端子ユニットと前記保持部材とが所定の角度をなす第２の位置との間で回動することを特徴とする電子機器。
【請求項２】
前記端子ユニットと前記保持部材との所定の角度が、略９０度であることを特徴とする請求項１に記載の電子機器。
【発明の詳細な説明】
【０００１】
【発明の属する技術分野】
本発明は、住宅用のインターホンやテレビドアホン等の電子機器に関する。
【０００２】
【従来の技術】
従来の電子機器、例えば、埋込型インターホンは、背面側に信号線および電源線を有するインターホン本体（上筐体等）と、壁面から加入者線（ケーブル）を導出する穴を有し、かつ信号線および電源線と加入者線とが電気的に接続される接続基板ユニット（端子台等）を取り付けた取付部材（下筐体等）とを備え、壁面に取付部材を固定し、加入者線に信号線および電源線を接続するようにしたものが知られている。
【特許文献１】
登録実用新案第３０３１８３４号公報（図１（ｄ）参照）
【０００３】
【発明が解決しようとする課題】
しかしながら、特許文献１の図１に示された従来のインターホンにおいては、接続基板ユニットの接続端子に加入者線を接続する作業、さらには同じく接続基板ユニットの接続端子にインターホン本体からの信号線等を接続する作業を行わなければならず、このため、作業性が悪いという問題があった。
本発明は、このような従来の問題を解決するためになされたもので、接続作業を容易に行える電子機器を提供するものである。
【０００４】
【課題を解決するための手段】
本発明の電子機器は、壁面に固定される電子機器本体と、前記壁面から導出された第１の電気線を挿通する穴を有し前記電子機器本体を保持する保持部材と、前記保持部材に支持される端子ユニットとを備え、
前記端子ユニットは、一方の面側に前記第１の電気線が接続され、他方の面側に前記電子機器本体からの第２の電気線が接続され、前記端子ユニットと前記保持部材とが略平行状態となる第１の位置と前記端子ユニットと前記保持部材とが所定の角度をなす第２の位置との間で回動することを特徴とする。
【０００５】
このような構成により、外壁と内壁の間に端子ユニットを埋め込んだ後に、端子ユニットを回動させることにより加入者線が接続される端子を内壁の外方（室内側）に露出させることができるので、加入者線の接続作業を容易にすることができる。
【０００６】
【発明の実施の形態】
以下、本発明の実施の形態を図面に基づいて説明する。
【０００７】
図１乃至図４は本発明に係る電子機器の一実施の形態を示す図であり、電子機器としてインターホン装置に適用した例を示している。
【０００８】
図１において、内壁１と外壁２との間に空間部３が画成されており、この空間部３に電源コードおよび信号線からなる加入者線４が引き込まれている。
【０００９】
インターホン装置は、電子部品を格納するインターホン本体５と、ネジ６によってインターホン本体５が取り付けられるとともにネジ７によって内壁１に固定され、内壁１と外壁２の間に埋め込まれる保持部材８と、保持部材８に回動可能に支持される端子ユニット９とを備えている。
【００１０】
保持部材８には連通孔１２が形成されており、この連通孔１２を通して保持部材８内に加入者線４が引き込まれるようになっている。
【００１１】
また、保持部材８には図１中、手前側と奥側とに、すなわち紙面に対して直交する方向に所定間隔で離隔して一対の支持部材１３が設けられており、支持部材１３にはこの支持部材１３に挟持されるように端子ユニット９が回動自在に取り付けられている。
すなわち、端子ユニット９の回動軸１５を一対の支持部材１３に形成された軸穴１３ａに係合させることにより、端子ユニット９は支持部材１３を中心として自在に回動可能な構成となっている。
【００１２】
端子ユニット９と保持部材８とが略平行となる第１の位置にあるときに、端子ユニット９の保持部材８と対向する面、すなわち、第１の面には第１の導電性基板１６が設置される。第１の導電性基板１６には接続端子１７が設けられており、この接続端子１７には加入者線４が接続されるようになっている。
【００１３】
端子ユニット９の第１の面の反対面、すなわち、第２の面には導電性基板１６に電気的に接続される第２の導電性基板１８が設置されている。
そして、第２の導電性基板１８からは、インターホン本体５に接続される信号線１９および電源コード２０が伸延する。
【００１４】
次に、図２乃至図４に基づいてインターホン装置の取付け作業を説明する。
【００１５】
まず、連通孔１２を通して加入者線４を保持部材８内に引き込んだ後、保持部材８を内壁１と外壁２の間に埋め込み、ネジ７によって保持部材８を内壁１に取り付ける（図２参照）。
【００１６】
次いで、図３に矢印Ａで示すように端子ユニット９を下方に回動し、端子ユニット９を内壁１の外方、すなわち、室内側に露出させた状態にして、加入者線４を室内側に引き込み加入者線４を接続端子１７に接続する。
【００１７】
次いで、図３の矢印Ｂで示すように端子ユニット９を上方に回動し、端子ユニット９の第１の面が保持部材８と略平行となる状態にする。
次いで、図４に示すように、信号線１９および電源コード２０をインターホン本体５に接続した後、ネジ６によってインターホン本体５を保持部材８に取り付けて、図１に示す使用状態とする。
【００１８】
このように本実施形態では、外壁２と内壁１との間に保持部材８を埋め込んだ後に、端子ユニット９を回動することにより接続端子１７を露出させることができるので、加入者線４の接続作業を容易に行うことができる。
これに加えて、インターホン本体５が内壁１から張り出さないので、インターホン装置の見栄えを良好なものにすることができる。
【００１９】
なお、本実施形態では、端子ユニット９は保持部材８の上下方向に回動するものとしているが、端子ユニット９を保持部材８の左右方向に回動するようにしてもよい。
また、第２の位置において保持部材８と端子ユニット９とがなす角度は、加入者線４を接続端子１７に容易に接続できればよく、４５度以上１８０度の範囲とすることが好ましい。
さらに、本実施形態では、電子機器としてインターホン装置を例に説明しているが、壁に保持される電子機器であれば、テレビドアホンや電話等の如何なる電子機器にも適用可能である。
【００２０】
【発明の効果】
本発明によれば、第１の電気線と第２の電気線との接続作業を容易に行うことができ、またメンテナンス作業を容易に行うことができる電子機器を提供できるものである。
【図面の簡単な説明】
【図１】本発明に係る電子機器の一実施の形態であるインターホン装置の使用状態を示す側断面図
【図２】図１に示されたインターホン装置おいて、壁掛け部材が壁面に固定された状態を示す側断面図
【図３】図１に示されたインターホン装置において、加入者線が接続された状態を示す側断面図
【図４】図１に示されたインターホン装置おいて、信号線や電源コードが接続された状態を示す側断面図
【符号の説明】
４  加入者線
５  インターホン本体（電子機器本体）
８  保持部材
９  端子ユニット
１６  第１の導電性基板
１７  接続端子
１８  第２の導電性基板
１９  信号線
２０  電源コード
【図１】
2004312601.tif 000003
【図２】
2004312601.tif 000004
【図３】
2004312601.tif 000005
【図４】
2004312601.tif 000006